(57)【要約】【課題】テレビカメラの照明兼用液晶表示装置を提供する。【解決手段】本発明のテレビカメラの照明兼用液晶表示装置は、映像信号を生成する映像信号処理手段１０１と、該映像信号を記録し、再生画像を出力する記録部１０８と、記録部１０８の記録又は再生のいずれかの動作に応じて出力映像信号を切り換える記録再生映像信号切換手段１０６と、局所的な照明用に、所定色の均一映像信号を発生する照明映像信号発生手段１０３，１０４，１０５と、該照明映像信号発生手段の出力と記録再生映像信号切換手段１０６の出力とを切り換える表示映像信号切換手段１０７と、表示映像信号切換手段１０７の出力映像信号を表示するバックライト付き液晶表示手段１０９と、表示映像信号切換手段１０７の切り換えを制御する制御手段１１０とを備える。【選択図】図１
2010021960.tif 000002
【特許請求の範囲】
【請求項１】
固体撮像素子で撮像された画像信号を表示するテレビカメラの照明兼用液晶表示装置であって、
前記固体撮像素子の出力を処理して映像信号を生成する映像信号処理手段と、
該映像信号を記録し、再生画像を出力する記録部と、
該記録部の記録又は再生のいずれかの動作に応じて出力映像信号を切り換える記録再生映像信号切換手段と、
局所的な照明用に、所定色の均一映像信号を発生する照明映像信号発生手段と、
該照明映像信号発生手段の出力と前記記録再生映像信号切換手段の出力とを切り換える表示映像信号切換手段と、
前記表示映像信号切換手段の出力映像信号を表示するバックライト付き液晶表示手段と、
前記表示映像信号切換手段の切り替えを制御する制御手段と、
を備えることを特徴とする、テレビカメラの照明兼用液晶表示装置。
【請求項２】
請求項１に記載のテレビカメラの照明兼用液晶表示装置であって、
前記照明映像信号発生手段は、
アンバー色の映像信号を発生するアンバー色映像信号発生手段と、
白色の映像信号を発生する白色映像信号発生手段と、
該アンバー色映像信号発生手段の映像信号と該白色映像信号発生手段の映像信号とを切り換える切換手段とを有することを特徴とする、テレビカメラの照明兼用液晶表示装置。
【請求項３】
請求項１に記載のテレビカメラの照明兼用液晶表示装置であって、
前記照明映像信号発生手段は、前記固体撮像素子に同期した所定色の均一映像信号を発生することを特徴とする、テレビカメラの照明兼用液晶表示装置。
【請求項４】
請求項１に記載のテレビカメラの照明兼用液晶表示装置であって、
前記制御手段は、バックライト付き液晶表示手段の表示レベルを可変制御する手段を有することを特徴とする、テレビカメラの照明兼用液晶表示装置。
【発明の詳細な説明】
【技術分野】
【０００１】
本発明は、液晶表示装置を有するテレビカメラにおいて、撮影中に液晶表示装置を小型照明装置として使用することを可能とするテレビカメラ内の電気的接続に関する。
【背景技術】
【０００２】
テレビカメラにはニュース取材などで映像や音声信号を記録媒体に記録して使用するハンディ型テレビカメラがある。この種のテレビカメラには光学的なビューファインダの他に再生映像を確認するための液晶表示装置を設けているのが一般的である。
【０００３】
このようなハンディ型テレビカメラをニュース取材ではなく、放送局のスタジオでライブカメラとして使用する場合がある。放送局のスタジオは被写体となる人やセットとなる部分には照明を当てて明るくするが、それ以外のカメラマンが撮影する場所は一般的に暗い。また、このようなハンディ型テレビカメラを使用して夜中や暗がりで撮影する場合では撮影場所全体が暗い。
【０００４】
このような暗い場所でも照明を使用せずにカメラのみで撮影可能とする技術が知られている（例えば、特許文献１参照）。この文献には、バックライト付き液晶ディスプレイに光反射部材を入れて、液晶表示装置または照明装置として使用する液晶表示装置を設けた撮像装置が開示されている。これにより鮮明な撮影画像を得ることを可能にしている。
【特許文献１】特開２００５−７９７０２号公報
【発明の開示】
【発明が解決しようとする課題】
【０００５】
一般に、スタジオなどでテレビカメラによる撮影を行う場合、カメラマンは撮影中に撮影用のスケジュールやメモなどを見たい場合があるが、スタジオが暗いために見ることができない。前述した特許文献１の技術のように光反射部材を出し入れして照明として使用する場合は、カラーナイトショットがとれるほど明るいため、テレビカメラを設置する場所全体が明るくなり、撮影用のスケジュールやメモなどを見る場合には適していない。
【０００６】
本発明の目的は、このような問題点を鑑みて、スタジオなどの暗い場所で撮影するときでも撮影用の照明のように明るくなく、補助的な照明として使用可能なテレビカメラの照明兼用液晶表示装置を提供することにある。
【課題を解決するための手段】
【０００７】
本発明による第１の態様のテレビカメラの照明兼用液晶表示装置は、固体撮像素子で撮像された画像信号を表示するテレビカメラの照明兼用液晶表示装置であって、前記固体撮像素子の出力を処理して映像信号を生成する映像信号処理手段と、該映像信号を記録し、再生画像を出力する記録部と、該記録部の記録又は再生のいずれかの動作に応じて出力映像信号を切り換える記録再生映像信号切換手段と、局所的な照明用に、所定色の均一映像信号を発生する照明映像信号発生手段と、該照明映像信号発生手段の出力と前記記録再生映像信号切換手段の出力とを切り換える表示映像信号切換手段と、前記表示映像信号切換手段の出力映像信号を表示するバックライト付き液晶表示手段と、前記表示映像信号切換手段の切り替えを制御する制御手段と、を備えることを特徴とする。
【０００８】
また、本発明による第２の態様のテレビカメラの照明兼用液晶表示装置は、本発明による第１の態様において、前記照明映像信号発生手段は、アンバー色の映像信号を発生するアンバー色映像信号発生手段と、白色の映像信号を発生する白色映像信号発生手段と、該アンバー色映像信号発生手段の映像信号と該白色映像信号発生手段の映像信号とを切り換える切換手段とを有することを特徴とする。
【０００９】
また、本発明による第３の態様のテレビカメラの照明兼用液晶表示装置は、本発明による第１の態様において、前記照明映像信号発生手段は、前記固体撮像素子に同期した所定色の均一映像信号を発生することを特徴とする。
【００１０】
また、本発明による第４の態様のテレビカメラの照明兼用液晶表示装置は、本発明による第１の態様において、前記制御手段は、バックライト付き液晶表示手段の表示レベルを可変制御する手段を有することを特徴とする。
【発明の効果】
【００１１】
本発明による第１の態様によれば、液晶表示部分に照明映像信号が表示されるため、撮影用のスケジュールやメモなどが見やすくなるため、カメラマンにとって好適なものとなる。また、照明として使用する液晶表示装置が通常の撮影に影響するほど明るくないため、スタジオ等の暗い場所で使用しても映像信号に影響を与えることがない。
【００１２】
また、本発明による第２の態様によれば、照明の光の色をアンバー色か白色に切り換えることが可能となるため、用途やカメラマンの好みに応じた照明を提供することが可能となる。
【００１３】
また、本発明による第３の態様によれば、固体撮像素子に同期した照明用の映像信号を発生させることにより、照明用にＬＣＤ（Ｌｉｑｕｉｄ Ｃｒｙｓｔａｌ Ｄｉｓｐｌａｙ）を瞬時に切り換えた場合でも、映像信号は通常垂直ブランキングで切り換えているため、ＬＣＤの表示画面が乱れることはないという効果を有する。
【００１４】
また、本発明による第４の態様によれば、バックライトのレベルを可変とすることによりカメラマンの好みの明るさに設定することができる効果を有する。
【発明を実施するための最良の形態】
【００１５】
本発明による一実施例のテレビカメラの照明兼用液晶表示装置を図１〜図４を参照して説明する。
【００１６】
図１は、本実施例のテレビカメラの照明兼用液晶装置のブロック図である。本実施例のテレビカメラの照明兼用液晶装置は、固体撮像素子のＣＣＤ（Ｃｈａｒｇｅ  Ｃｏｕｐｌｅｄ  Ｄｅｖｉｃｅ）１００と、映像信号処理回路１０１と、ＣＣＤ駆動回路１０２と、アンバー色映像信号発生回路１０３と、白色映像信号発生回路１０４と、照明映像切換器１０５と、記録再生映像信号切換器１０６と、表示映像信号切換器１０７と、記録部１０８（記録媒体を含む）と、バックライト付きＬＣＤ１０９（駆動部を含む）と、表示切換制御部１１０と、表示切換操作部１１１とを備える。
【００１７】
ＣＣＤ１００は、ＣＣＤ１００内の固体撮像素子でレンズを通った光信号を光電変換して電気信号に変換し、映像信号処理回路１０１に送出する。
【００１８】
映像信号処理回路１０１は、ＣＣＤ１００の出力信号に対してニーやガンマなどのカメラ信号処理を行い、処理した信号を、一方で映像信号をカメラ外部に出力し、他方で記録再生映像信号切換器１０６に出力する。通常、スタジオで使用する放送用テレビカメラは、ＲＧＢの３チャンネルを有するので、本実施例ではＣＣＤ１００及び映像信号処理回路１０１で３チャンネル分の信号を有するものとして説明する。従って、映像信号処理回路１０１ではＲＧＢの３チャンネルの映像信号を出力するものとする。
【００１９】
ＣＣＤ駆動回路１０２は、ＣＣＤ１００に対してその駆動信号を出力するとともに、アンバー色映像信号発生回路１０３及び白映像信号発生回路１０４に対しては、この駆動信号を同期信号として出力する。
【００２０】
アンバー色映像信号発生回路１０３は、局所的な照明用に、照明映像切換器１０５及び表示映像信号切換器１０７を介してバックライト付ＬＣＤ１０９に表示したときの色が表示画面全面でアンバー色となる映像信号を発生する。特に、アンバー色映像信号発生回路１０３は、ＣＣＤ１００に同期した照明用のアンバー色の映像信号を発生する。
【００２１】
白色映像信号発生回路１０４は、局所的な照明用に、照明映像切換器１０５及び表示映像信号切換器１０７を介してバックライト付ＬＣＤ１０９に表示したときの色が表示画面全面で白色となる映像信号を発生する。特に、白色映像信号発生回路１０４は、ＣＣＤ１００に同期した照明用の白色の映像信号を発生する。
【００２２】
アンバー色映像信号発生回路１０３及び白色映像信号発生回路１０４の双方は、いずれもＲＧＢの３チャンネル分の映像信号を出力し、表示画面全面で均一の映像信号を出力する。
【００２３】
また、アンバー色映像信号発生回路１０３及び白色映像信号発生回路１０４は、ＣＣＤ駆動回路１０２からの同期信号に同期した映像信号を発生する。つまり、ＣＣＤ１００の固体撮像素子と同期した映像信号となり、これについては詳細に後述する。
【００２４】
照明映像信号切換器１０５は、表示切換制御部１１０からの切換信号に応じてアンバー色映像信号か、又は白色映像信号を切り換える。尚、アンバー色映像信号及び白色映像信号は、いずれも映像信号の垂直ブランキングもタイミングで切り換える制御機構を有する。
【００２５】
記録再生映像信号切換器１０６は、記録部１０８の記録又は再生の動作状態に応じて出力信号を切り換える。例えば、記録再生映像信号切換器１０６は、記録部１０８が記録状態のときは、記録部１０８及び表示映像信号切換器１０７に対して映像信号を出力する。一方、記録再生映像信号切換器１０６は、記録部１０８が再生状態の場合には表示映像信号切換器１０７に対して記録部１０８からの再生映像信号を供給する。
【００２６】
表示映像信号切換器１０７は、表示切換制御部１１０からの切換信号により映像信号を切り換える。例えば、記録再生映像信号切換器１０６又は照明映像切換器１０５からのＲＧＢの３チャンネルの信号を切り換える。尚、この切り換えは、いずれも垂直ブランキングで切り換えるものであることに留意する。
【００２７】
記録部１０８は、例えばハードディスクやメモリパックなどの記録媒体を含む記録部である。記録又は再生の制御は、表示切換制御部１１１とは異なる制御部から制御される。記録又は再生制御は、記録再生映像信号切換器１０６に対しても同様に制御する。
【００２８】
バックライト付きＬＣＤ１０９は、図示しない駆動部を含む既知のバックライト付液晶表示器である。駆動部は、液晶駆動部及びバックライト駆動部からなる。バックライト付きＬＣＤ１０９は、表示映像信号切換器１０７からＲＧＢの３チャンネルの映像信号を入力する。バックライト付きＬＣＤ１０９におけるバックライト部分は、表示切換制御部１１０からのレベル切換制御信号により光の強さ制御が可能である。
【００２９】
光の強さ制御として、例えば図２に示すように、レベル切換について、ＰＷＭ（Ｐｕ１ｓｅ  Ｗｉｄｔｈ  Ｍｏａｕ１ａｔｉｏｎ）制御を用いることができる。図２の例では、５段階の光の強さ制御の例を示している。１周期に対して振幅の高い部分が多いパルスが光の出カレベルが大きくなるとすると、図２の場合、図２（ｅ）のとき光出力が大きく、即ち液晶表示が明るくなる。また、図２（ａ）のとき小さくなるので液晶表示は暗くなる。尚、電流切換式の光の強さ制御の場合、図２に示すようなＰＷＭ制御を行わずに、単に入カレベルを５段階に分けて制御してもよい。
【００３０】
表示切換制御部１１０は、表示切換操作部１１１と併せて説明する。表示切換操作部１１１は、映像又は照明の切換操作部、照明色の選択操作部、及びバックライトのレベル切換操作部を有する（図示せず）。
【００３１】
この映像又は照明の切換操作部は、表示切換制御部１１０により表示映像信号切換器１０７の切換制御に用いられる。例えば、操作者により映像が選択されると、表示切換制御部１１０は、記録再生映像信号切換器１０６の出力側を選択し、操作者により照明が選択されると、表示切換制御部１１０は、照明映像切換器１０５の出力側を選択するように制御する。
【００３２】
また、照明色の選択操作部は、表示切換制御部１１０により照明映像切換器１０５の切換制御に用いられる。照明色には、アンバー色と白色との２種類があり、操作者は、いずれかを選択することができる。いずれを選択するかは、操作者（例えばカメラマン）の好み、又はその用途による。例えば、操作者は、バックライトの照明を用いて、文字が細かいスケジュール表などを見る場合には輝度が強い白色を選択し、単なるメモを一瞥する場合にはアンバー色を選択することができるようにする。
【００３３】
バックライトのレベル切換操作部は、例えば図２の５段階に応じた切り換えを行うのに用いられる。
【００３４】
図３は、本実施例のテレビカメラの照明兼用液晶表示装置の使用例として、テレビカメラの映像表示時の場合を例示している。具体的には、本実施例の照明兼用液晶表示装置を、レンズ３００、テレビカメラ本体３０１、及び液晶表示器３０２を備えるテレビカメラとして構成している。テレビカメラ本体３０１は、記録部１０８を内蔵しており、液晶表示器３０２（図１におけるバックライト付きＬＣＤ１０９に対応する）で再生画像も見ることができる。このように液晶表示器３０２を使用する場合、図３（ａ）のように、テレビカメラ本体３０１に対して９０°開閉することができる構造とするのが好適である。通常、撮像画像又は再生画像を見る場合、図３（ｂ）に示すように、テレビカメラ本体３０１の底面に対して液晶表示器３０２を垂直にして使用する。
【００３５】
図４は、本実施例のテレビカメラの照明兼用液晶表示装置の使用例として、テレビカメラに近接して置かれるテキストの照明時の場合を例示している。具体的には、本実施例の照明兼用液晶表示装置を、レンズ４００、テレビカメラ本体４０１、及び液晶表示器４０２（図１におけるバックライト付きＬＣＤ１０９に対応する）を備えるテレビカメラとして構成し、液晶表示器４０２に近接して放送スケジュール表４０３を配置する。このテレビカメラ４０１は、例えば三脚に乗せて使用され、放送スケジュール表４０３は、テレビカメラの真横において使用するものとする。テレビカメラを用いるスタジオは暗く、このままではカメラマンは、スケジュール表４０３を見ることができない場合を想定する。このような場合に、カメラマンは、液晶表示器４０２を図４（ｂ）のように、液晶表示器４０２を４５°回転させ、液晶表示器４０２には白色画像を表示するように表示切換操作部１１１を操作して、液晶表示器４０２を放送スケジュール表４０３の照明として使用することができる。
【００３６】
上述した実施例のほかにも、本発明には幾多の変形例が可能である。例えば、表示切換制御部１１０により、バックライト付きＬＣＤ１０９の明るさを制御する場合を説明したが、バックライトの光の強さを一定にして映像信号自体のレベルを切り換えるように制御しても同様な効果を得ることができる。従って、本発明は、上述の実施例に制限されるものではなく、特許請求の範囲によってのみ制限される。
【産業上の利用可能性】
【００３７】
本発明は、放送局のスタジオで使用するハンディ型テレビカメラや、光の暗い場所で低照度撮影する場合のハンディ型テレビカメラにも有用である。
【図面の簡単な説明】
【００３８】
【図１】本発明による一実施例のテレビカメラの照明兼用液晶表示装置のブロック図である。
【図２】本発明による一実施例のテレビカメラの照明兼用液晶表示装置におけるバックライトのレベル切換制御信号の波形例を示す図である。
【図３】本発明による一実施例のテレビカメラの照明兼用液晶表示装置の適用例を示す図である。
【図４】本発明による一実施例のテレビカメラの照明兼用液晶表示装置の適用例を示す図である。
【符号の説明】
【００３９】
１００  ＣＣＤ（Ｃｈａｒｇｅ  Ｃｏｕｐｌｅｄ  Ｄｅｖｉｃｅ）
１０１  映像信号処理回路
１０２  ＣＣＤ駆動回路
１０３  アンバー色映像信号発生回路
１０４  白色映像信号発生回路
１０５  照明映像切換器
１０６  記録再生映像信号切換器
１０７  表示映像信号切換器
１０８  記録部
１０９  バックライト付きＬＣＤ
１１０  表示切換制御部
１１１  表示切換操作部
３００  レンズ
３０１  テレビカメラ本体
３０２  液晶表示器
４００  レンズ
４０１  テレビカメラ本体
４０２  液晶表示器
４０３  放送スケジュール表
【図１】
2010021960.tif 000003
【図２】
2010021960.tif 000004
【図３】
2010021960.tif 000005
【図４】
2010021960.tif 000006